(57)【要約】【課題】少層部の折り曲げによる破損や断線の発生を防止するフレキシブルプリント基板および電子機器を提供する。【解決手段】導体パターンを有するとともに折り曲げ可能な少層部１３と、少層部１３の一部に接合剤により他の層が接合されて形成される多層部１１，１２とを備えるフレキシブルプリント基板１０であって、少層部１３に多層部１１，１２からはみ出した接合剤のはみ出し部を有するとともに、はみ出し部を避けた位置に切欠き１５，１６を備える。【選択図】図１
2006041361.tif 000002
【特許請求の範囲】
【請求項１】
導体パターンを有するとともに折り曲げ可能な少層部と、前記少層部の一部に接合剤により他の層が接合されて形成される多層部とを備えるフレキシブルプリント基板であって、前記少層部に前記多層部からはみ出した前記接合剤のはみ出し部を有するとともに、該はみ出し部を避けた位置に切欠きを備えたことを特徴とするフレキシブルプリント基板。
【請求項２】
請求項１に記載のフレキシブルプリント基板を収納するケース部を備えるとともに前記ケース部に段差を形成した電子機器であって、前記フレキシブルプリント基板を、前記切欠きにより折り曲げた状態で前記段差を跨いで前記ケース部に収納させる構成を備えたことを特徴とする電子機器。
【請求項３】
フレキシブルプリント基板の前記切欠きが前記段差の山および／または谷に重なるよう、多層部の少層部側端を前記段差の山および／または谷から離間して配置させる構成を備えたことを特徴とする請求項２に記載の電子機器。
【請求項４】
フレキシブルプリント基板を、前記切欠きにより折り曲げた状態で前記段差を跨いでケース部に収納させる際に、前記ケース部に、前記フレキシブルプリント基板の多層部を係止させるリブを備えたことを特徴とする請求項２または３に記載の電子機器。
【請求項５】
リブから段差の山または谷までの範囲に、少層部の多層部側端から前記切欠きまでを配置する構成を備えたことを特徴とする請求項４に記載の電子機器。
【請求項６】
リブの係止端から段差の山または谷までの距離を、少層部の多層部側端から切欠きまでの距離と、少層部の多層部側端から切欠きの形成範囲までの距離との間にした請求項４に記載の電子機器。
【発明の詳細な説明】
【技術分野】
【０００１】
本発明は、折り曲げ部分を備えるフレキシブルプリント基板、およびこのフレキシブルプリント基板を収納する電子機器に関するものである。
【背景技術】
【０００２】
一般に、携帯電話機、ＰＨＳ等の移動体通信機、ＰＤＡ、携帯ラジオ、ＭＤプレーヤ、ＣＤプレーヤ、カセットテープレコーダ、デジタルカメラといった種々の電子機器には、図４〜図７に示す如く、内部の電子部品間を接続するためのフレキシブルプリント基板１を収納している。
【０００３】
フレキシブルプリント基板１は、導体パターン層２と絶縁層３とを交互に積層しかつ表裏面にカバーフィルム４を被覆した多層部５と、導体パターン層２と絶縁層３の一部から側方へ延在して折り曲げ可能に構成された少層部６とを備え、少層部６に複数の多層部５を形成して製造されている。また、フレキシブルプリント基板１を電子機器に取り付ける際には、複数の多層部５を電子機器の筐体（図示せず）に固定し得る複数のリジッド部分にするとともに、少層部６を引出部分にしている。
【０００４】
ここでフレキシブルプリント基板を示すものとしては、例えば特許文献１がある。
【特許文献１】特開２００３−１０１１６２号公報
【発明の開示】
【発明が解決しようとする課題】
【０００５】
しかしながら、図７に示す如く少層部６に多層部５を形成した際には、多層部５から少層部６へ１.５ｍｍ〜２.０ｍｍ程度の接着剤がはみ出して硬化する、はみ出した部分については、フレキシビリティが失われてしまう。このようなフレキシブルプリント基板１について少層部６を曲げて多層部５を電子機器内に取り付ける際には、多層体と少層体との境目部分は、曲げ強度の大きく変化する部分であり、少層部の多層部分へのつけ根部分が曲がり易い。その結果、少層部６の曲げに伴って、硬化した接着剤の接合剤Ｓの部分に応力が集中し、少層部に破損や断線等を起すという問題があった。
【０００６】
本発明は、斯かる実情に鑑み、少層部の折り曲げによる破損や断線の発生を防止するフレキシブルプリント基板および電子機器を提供しようとするものである。
【課題を解決するための手段】
【０００７】
本発明は、導体パターンを有するとともに折り曲げ可能な少層部と、前記少層部の一部に接合剤により他の層が接合されて形成される多層部とを備えるフレキシブルプリント基板であって、前記少層部に前記多層部からはみ出した前記接合剤のはみ出し部を有するとともに、該はみ出し部を避けた位置に切欠きを備えたことを特徴とするフレキシブルプリント基板にかかるものである。
【０００８】
また、本発明は、先に記載のフレキシブルプリント基板を収納するケース部を備えるとともに前記ケース部に段差を形成した電子機器であって、前記フレキシブルプリント基板を、前記切欠きにより折り曲げた状態で前記段差を跨いで前記ケース部に収納させる構成を備えたことを特徴とする電子機器にかかるものである。
【０００９】
本発明の電子機器は、フレキシブルプリント基板の前記切欠きが前記段差の山および／または谷に重なるよう、多層部の少層部側端を前記段差の山および／または谷から離間して配置させる構成を備えることが好ましい。
【００１０】
また、本発明の電子機器は、フレキシブルプリント基板を、前記切欠きにより折り曲げた状態で前記段差を跨いでケース部に収納させる際に、前記ケース部に、前記フレキシブルプリント基板の多層部を係止させるリブを備えることが好ましい。
【００１１】
さらに、本発明の電子機器は、リブから段差の山または谷までの範囲に、少層部の多層部側端から前記切欠きまでを配置する構成を備えることが好ましい。
【００１２】
また、本発明の電子機器は、リブの係止端から段差の山または谷までの距離を、少層部の多層部側端から切欠きまでの距離と、少層部の多層部側端から切欠きの形成範囲までの距離との間にすることが好ましい。
【発明の効果】
【００１３】
本発明によれば、少層部に多層部からはみ出した接合剤のはみ出し部を避け、切欠きにより少層部を折り曲げるので、少層部を折り曲げた際の接合剤による応力の集中を抑制し、少層部の破損や断線の発生を防止することができるという優れた効果を奏し得る。
【発明を実施するための最良の形態】
【００１４】
以下、本発明の実施の形態例を添付図面を参照して説明する。
【００１５】
図１は本発明を実施する形態例においてフレキシブルプリント基板を電子機器に収納した状態を示す斜視図であり、図２は本発明を実施する形態例において他のフレキシブルプリント基板を他の電子機器に収納した状態を示す斜視図であり、図３は本発明を実施する形態例においてリブおよび少層部により多層部に反発力が生じた状態を示す概念図である。
【００１６】
フレキシブルプリント基板１０は、導体パターン層２と絶縁層３とを交互に積層しかつ表裏面にカバーフィルム４を被覆した第一多層部１１および第二多層部１２と、導体パターン層２と絶縁層３の一部から側方へ延在して折り曲げ可能に構成された少層部１３とを備え、少層部１３に、大判の第一多層部１１および小判の第二多層部１２を形成することにより、第一多層部１１および第二多層部１２をリジッド部分にするとともに、少層部１３を引出部分にしている。ここで、第二多層部１２には、図２に示す如く、モータ等の電気部品の接点端子１４を備えてもよい。なお、図２は他の例のフレキシブルプリント基板１０ａを示しており、１１ａは第一多層部、１２ａは第二多層部を表している。
【００１７】
また、フレキシブルプリント基板１０の少層部１３は、第一多層部１１の少層部側端から所定の距離を介して両側に凹状の第一の切欠き１５を形成するとともに、第二多層部１２の少層部側端から所定の距離を介して両側に凹部の第二の切欠き１６を形成しており、第一の切欠き１５および第二の切欠き１６は、第一多層部１１の少層部側端および第二多層部１２の少層部側端から夫々少層部１３へ１.５ｍｍ〜２.０ｍｍ程度はみ出して硬化した接着剤の接合剤（図示せず）を避けるよう、少層部１３の折曲位置を決定する第一のくびれ部１７および第二のくびれ部１８を形成している。ここで、第一のくびれ部１７および第二のくびれ部１８は、所定長さａ１と所定幅ａ２を備え、所定幅ａ２を少層部１３の全体幅ａ０より小さくしている（ａ０＞ａ２）。また、フレキシブルプリント基板１０は、図１に示す如く第一多層部１１から延在する他の少層体１９を備えてもよい。なお、図２中、１５ａは第一の切欠き、１６ａは第二の切欠き、１７ａは第一のくびれ部、１８ａは第二のくびれ部を表している。
【００１８】
一方、電子機器２０の内部には、フレキシブルプリント基板１０を収納するケース部２１を備えており、ケース部２１には、上段面２２と下段面２３を備える段差２４を形成するとともに、下段面２３から上段面２２の方向へ突出するよう、段差２４に隣接する一対の第一リブ２５および第二リブ２６と、電子機器２０の外周に近接する外方側リブ２７とを備えている。なお、図２中、２０ａは電子機器、２１ａはケース部、２２ａは上段面、２３ａは下段面、２４ａは段差を表している。
【００１９】
以下、本発明の実施の形態例の作用を説明する。
【００２０】
フレキシブルプリント基板１０を電子機器２０のケース部２１に収納する際には、第一多層部１１をケース部２１の上段面２２に載置し、第一のくびれ部１７および第二のくびれ部１８により少層部１３を山折り谷折りと互い違いに折り曲げた状態にして段差２４を跨ぐよう配置し、第二多層部１２をケース部２１の下段面２３に配置する。ここで、第一多層部１１は、外周端（図示せず）を他のリブ（図示せず）に係止してケース部２１の上段面２２に固定されており、第二多層部１２は、少層部側端を第一リブ２５の係止端および第二リブ２６の係止端に係止し、かつ他方先端を外方側リブ２７の係止端に係止してケース部２１の下段面２３に固定されている。さらに、少層部１３には、図３に示す如く折り曲げられた状態から元の直線状に戻ろうとする反発力を生じることから、第一多層部１１を他のリブ方向へ、第二多層部１２を外方側リブ２７方向へそれぞれ余勢し、夫々の固定を補強している。さらにまた、第二多層部１２には、図２に示す如く接点端子１４を備え、ここに電子部品（図示せず）の有するバネ接点などを接点端子１４に押圧状態で載置して電子部品を固定することから、第二多層部１２の浮きあがりを防止しつつ、電子部品の接触も強固にしている。なお、図３は説明を容易にするために少層部１３を９０゜以上折り曲げた状態で概念的に示している。
【００２１】
また、この時、少層部１３は、第一のくびれ部１７および第二のくびれ部１８により、硬化した接合剤のはみ出し部を避けた状態で折り曲げられており、第一多層部１１の少層部側端から接合剤の近傍部分までの範囲、および第二多層部１２の少層部側端から接合剤の近傍部分までの範囲を夫々略直線状に保っている。ここで、フレキシブルプリント基板１０の第一の切欠き１５および第二の切欠き１６は、段差２４の山および谷に重なるよう、第一多層部１１の少層部側端を段差２４の山から離間して配置させるとともに、第二多層部１２の少層部側端を段差２４の谷から離間して配置させており、第一リブ２５、第二リブ２６から段差２４の谷までの範囲に、少層部１３の第二多層部側端から第二の切欠き１６までを配置する構成を備えている。また、第一リブ２５、第二リブ２６の係止端から段差２４の谷までの距離Ｘを、少層部１３の第二多層部側端から第二の切欠き１６までの距離ｂと、少層部１３の第二多層部側端から第二の切欠き１６の形成範囲（第二のくびれ部の所定長さａ１）までの距離（ｂ＋ａ１）との間にしている（ｂ＜Ｘ＜ｂ＋ａ１）。
【００２２】
このように、本発明の形態例によれば、フレキシブルプリント基板１０を段差２４を跨いでケース部２１に収納させる際には、第一の切欠き１５の第一のくびれ部１７により、第一多層部１１から少層部１３へはみ出した接合剤のはみ出し部を避けて少層部１３を折り曲げるとともに、第二の切欠き１６の第二のくびれ部１８により、少層部１３に第二多層部１２からはみ出した接合剤のはみ出し部を避けて少層部１３を折り曲げるので、少層部１３を折り曲げた際の接合剤のはみ出し部による応力の集中を抑制し、少層部１３の破損や断線の発生を防止することができる。また、第一多層部１１の少層部側端から接合剤の近傍部分（はみ出し部）までの範囲、および第二多層部１２の少層部側端から接合剤の近傍部分（はみ出し部）までの範囲を夫々略直線状に保つので、少層部１３の破損や断線の発生を好適に防止することができる。
【００２３】
フレキシブルプリント基板１０の切欠きが段差２４の山および／または谷に重なるよう、第一多層部１１及び第二多層部１２の少層部側端を段差２４の山および／または谷から離間して配置させる構成を備えると、第一多層部１１及び第二多層部１２の少層部側端が段差２４の山および／または谷で折り曲げられることを防止し、第一のくびれ部１７および第二のくびれ部１８によりそれぞれの接合剤のはみ出し部を避けて少層部１３を折り曲げるので、少層部１３を折り曲げた際の接合剤による応力の集中を抑制し、少層部１３の破損や断線の発生を好適に防止することができる。
【００２４】
フレキシブルプリント基板１０を、第一の切欠き１５および第二の切欠き１６により折り曲げた状態で段差２４を跨いでケース部２１に収納させるよう、ケース部２１に、フレキシブルプリント基板１０を係止させる第一リブ２５、第二リブ２６、外方側リブ２７を備えると、少層部１３が折り曲げられた状態から元の直線状に戻ろうとする反発力により第二多層部１２を外方側リブ２７方向へ余勢するので、第二多層部１２を確実に固定することができる。また、少層部１３の反発力は、第二多層部１２の上方（下段面２３から離間する方向）への浮き上がりを防止することができる。さらに、第二多層部１２には、接点端子１４を備えるので、第二多層部１２を一層確実に固定し、かつ少層部１３の反発力を利用して確実な接点を得ることができる。
【００２５】
第一リブ２５、第二リブ２６から段差２４の谷までの範囲に、少層部１３の第二多層部側端から第二の切欠き１６までを配置する構成を備えると、少層部１３を下段面２３へ安定的に配置するので、少層部１３が段差２４を跨ぐ状態および少層部１３の折り曲げ状態を維持し、少層部１３の破損や断線の発生を好適に防止することができる。
【００２６】
リブの係止端から段差２４の山または谷までの距離を、少層部１３の第二多層部側端から第二の切欠き１６までの距離ｂと、少層部１３の第二多層部側端から第二の切欠き１６の形成範囲（第二のくびれ部１８の所定長さａ１）までの距離（ｂ＋ａ１）との間にすると（ｂ＜Ｘ＜ｂ＋ａ１）、少層部１３を下段面２３へ一層安定的に配置するので、少層部１３が段差２４を跨ぐ状態および少層部１３の折り曲げ状態を確実に維持し、少層部１３の破損や断線の発生を好適に防止することができる。
【００２７】
なお、本発明のフレキシブルプリント基板および電子機器は、上述の形態例のみに限定されるものではなく、少層部の第一の切欠きおよび第二の切欠きが第一のくびれ部および第二のくびれ部を構成する形状に限定するものではないこと、電子機器のリブを他の形状にしてもよいこと、その他、本発明の要旨を逸脱しない範囲内において種々変更を加え得ることは勿論である。
【図面の簡単な説明】
【００２８】
【図１】本発明を実施する形態例においてフレキシブルプリント基板を電子機器に収納した状態を示す斜視図である。
【図２】本発明を実施する形態例において他のフレキシブルプリント基板を他の電子機器に収納した状態を示す斜視図である。
【図３】本発明を実施する形態例においてリブおよび少層部により多層部に反発力が生じた状態を示す概念図である。
【図４】従来例のフレキシブルプリント基板において少層部を伸ばした状態を示す側面図である。
【図５】従来例のフレキシブルプリント基板において少層部を折り曲げた状態を示す斜視図である。
【図６】従来例のフレキシブルプリント基板において少層部を折り曲げた状態を示す平面図である。
【図７】接着剤の接合剤が多層部より少層部へはみだした状態を示す側面図である。
【符号の説明】
【００２９】
１０    フレキシブルプリント基板
１０ａ  フレキシブルプリント基板
１１    第一多層部（多層部）
１１ａ  第一多層部（多層部）
１２    第二多層部（多層部）
１２ａ  第二多層部（多層部）
１３    少層部
１３ａ  少層部
１５    第一の切欠き
１５ａ  第一の切欠き
１６    第二の切欠き
１６ａ  第二の切欠き
１７    第一のくびれ部
１７ａ  第一のくびれ部
１８    第二のくびれ部
１８ａ  第二のくびれ部
２０    電子機器
２０ａ  電子機器
２１    ケース部
２１ａ  ケース部
２４    段差
２４ａ  段差
２５    第一リブ（リブ）
２６    第二リブ（リブ）
２７    外方側リブ（リブ）
Ｓ    接合剤
【図１】
2006041361.tif 000003
【図２】
2006041361.tif 000004
【図３】
2006041361.tif 000005
【図４】
2006041361.tif 000006
【図５】
2006041361.tif 000007
【図６】
2006041361.tif 000008
【図７】
2006041361.tif 000009